(57)【特許請求の範囲】
【請求項１】
鍵盤シャーシと、
この鍵盤シャーシに回動自在に支持されるとともに左右方向に並設された複数の鍵と、
前記鍵盤シャーシに設けられ、前記複数の鍵の上限位置を規制するための鍵ストッパと、
を備え、
前記複数の鍵のうちの所定の鍵は、
前後方向に延びるとともに、後端部において前記鍵盤シャーシに回動自在に支持された鍵本体と、
この鍵本体の前端部の下方に、当該鍵本体の前面よりも前方に突出した状態で、当該鍵本体と一体に設けられ、離鍵時に前記鍵ストッパに下方から当接することにより、当該鍵の上限位置を規制する上限位置規制凸部と、
を有しており、
前記鍵盤シャーシに前記所定の鍵に対応して設けられ、前記上限位置規制凸部を左右方向に不動な状態で上下方向に案内する鍵ガイドを、さらに備えており、
前記鍵ガイドは、前記上限位置規制凸部の両側に、互いに対向しかつ上下方向に延び、互いに対向する距離が下方に向かって次第に大きくなるように配置された左右２つのガイド部を有していることを特徴とする鍵盤楽器の鍵盤装置。
【請求項２】
前記所定の鍵は、黒鍵であることを特徴とする請求項１に記載の鍵盤楽器の鍵盤装置。
【請求項３】
前記鍵ガイドは、前記鍵盤シャーシと一体に成形されていることを特徴とする請求項１または２に記載の鍵盤楽器の鍵盤装置。
【発明の詳細な説明】
【技術分野】
【０００１】
本発明は、電子ピアノなどに用いられる鍵盤楽器の鍵盤装置に関する。
【背景技術】
【０００２】
従来、電子ピアノの鍵盤装置として、例えば、本出願人がすでに出願した特許文献１に開示されたものが知られている。この鍵盤装置は、樹脂成形品からなるシャーシと、このシャーシに回動自在に支持され、白鍵および黒鍵からなる複数の鍵とを備えている。各鍵は、前後方向に延びるとともに、断面が下方に開放する逆Ｕ字状に形成され、後端部においてシャーシに回動自在に支持されている。また、各鍵の前半部の所定位置には、下方に所定長さ突出しかつその下端部が後方に屈曲するように形成された、側面形状がＬ字状のストッパ部が設けられている。一方、シャーシには、鍵のストッパ部が貫通する鍵通過孔が、鍵ごとに形成されるとともに、鍵通過孔の直ぐ後ろ側の上下にそれぞれ、鍵下限ストッパおよび鍵上限ストッパが設けられている。また、シャーシには、各白鍵および黒鍵にそれぞれ対応する位置に、白鍵用および黒鍵用の鍵ガイドが立設されている。これらの鍵ガイドは、対応する鍵の内側の横幅とほぼ同じ幅寸法を有しており、鍵の内側に下方から挿入されている。そして、これらの鍵ガイドのうち、白鍵用の鍵ガイドは、白鍵の内側前面付近に配置される一方、黒鍵用の鍵ガイドは、黒鍵のストッパ部よりも後方でかつ鍵下限ストッパの直ぐ後ろ側に配置されている。
【０００３】
このように構成された鍵盤装置では、鍵が押鍵されると、その鍵は、鍵ガイドで案内されることで、左右方向のぶれ（以下「横振れ」という）が抑制されながら、下方に回動し、鍵下限ストッパに上方から当接する。この状態から鍵が離鍵されると、その鍵は、押鍵時と同様に鍵ガイドで横振れが抑制されながら、上方に回動し、鍵のストッパ部が鍵上限ストッパに下方から当接することによって停止する。
【先行技術文献】
【特許文献】
【０００４】
【特許文献１】特開２０００−１２２６５４号公報
【発明の概要】
【発明が解決しようとする課題】
【０００５】
上記の鍵盤装置の各鍵は、鍵ガイドに係合する前側部分と、回動自在に支持された後端部とによる前後２箇所で、シャーシに支持されることによって、押鍵時および離鍵時に回動する際の横振れが抑制されている。しかし、鍵ガイドは、各鍵の前端よりも後方に位置しているため、鍵の前端付近の横振れを十分に抑制できないことがある。特に、黒鍵用の鍵ガイドは、黒鍵のストッパ部よりも後方で、黒鍵の前端から比較的大きく離れた位置に配置されているため、黒鍵において横振れが生じやすい。このような横振れが押鍵時や離鍵時に発生すると、鍵ががたつき、安定した回動が得られなくなる。したがって、上記の鍵盤装置には改善の余地がある。
【０００６】
本発明は、以上のような課題を解決するためになされたものであり、押鍵時や離鍵時における鍵の横振れを防止でき、それにより、鍵の安定した回動を確保することができる鍵盤楽器の鍵盤装置を提供することを目的とする。
【課題を解決するための手段】
【０００７】
上記の目的を達成するために、請求項１に係る発明は、鍵盤シャーシと、この鍵盤シャーシに回動自在に支持されるとともに左右方向に並設された複数の鍵と、鍵盤シャーシに設けられ、複数の鍵の上限位置を規制するための鍵ストッパと、を備え、複数の鍵のうちの所定の鍵は、前後方向に延びるとともに、後端部において鍵盤シャーシに回動自在に支持された鍵本体と、この鍵本体の前端部の下方に、鍵本体の前面よりも前方に突出した状態で、鍵本体と一体に設けられ、離鍵時に鍵ストッパに下方から当接することにより、鍵の上限位置を規制する上限位置規制凸部と、を有しており、鍵盤シャーシに所定の鍵に対応して設けられ、上限位置規制凸部を左右方向に不動な状態で上下方向に案内する鍵ガイドを、さらに備えており、鍵ガイドは、上限位置規制凸部の両側に、互いに対向しかつ上下方向に延び、互いに対向する距離が下方に向かって次第に大きくなるように配置された左右２つのガイド部を有していることを特徴とする。
【０００８】
この構成によれば、複数の鍵が、鍵盤シャーシに回動自在に支持されるとともに左右方向に並設されている。また、これらの鍵のうちの所定の鍵は、前後方向に延びるとともに後端部において回動自在に支持された鍵本体の前端部の下方に、上限位置規制凸部を有している。この上限位置規制凸部は、鍵本体の前面よりも前方に突出した状態で、鍵本体と一体に設けられている。したがって、所定の鍵は、押鍵された状態から離鍵されると、元の離鍵状態に復帰回動し、上限位置規制凸部が鍵盤シャーシに設けられた鍵ストッパに下方から当接して停止する。これにより、所定の鍵は、その上限位置が規制される。
【０００９】
また、所定の鍵の上限位置規制凸部は、鍵盤シャーシに設けられた鍵ガイドにより、左右方向に不動な状態で上下方向に案内される。前述したように、上限位置規制凸部は、鍵本体の前面よりも前方に突出しているので、この上限位置規制凸部の横振れが鍵ガイドで防止されることによって、鍵本体の前端付近の横振れを確実に防止でき、それにより、鍵の安定した回動を確保することができる。
さらに、上記のように構成された左右２つのガイド部によって、上限位置規制凸部を左右方向に不動な状態で上下方向に案内する鍵ガイドを、簡単な構成で容易に実現することができる。
【００１０】
請求項２に係る発明は、請求項１に記載の鍵盤楽器の鍵盤装置において、所定の鍵は、黒鍵であることを特徴とする。
【００１１】
この構成によれば、従来の鍵盤装置において横振れが生じやすかった黒鍵の横振れを、確実に防止することができる。
【００１４】
請求項３に係る発明は、請求項１または２に記載の鍵盤楽器の鍵盤装置において、鍵ガイドは、鍵盤シャーシと一体に成形されていることを特徴とする。
【００１５】
この構成によれば、鍵盤シャーシの製造時に、鍵ガイドが鍵盤シャーシと一体に成形されるので、鍵ガイドが鍵盤シャーシと別体に構成され、鍵盤シャーシの製造後に後付けされる場合に比べて、鍵ガイドを有する鍵盤シャーシを効率良く製造することができる。
【図面の簡単な説明】
【００１６】
【図１】本発明の一実施形態による電子ピアノの鍵盤装置を、離鍵状態において示す図であり、（ａ）は白鍵を中心とする側面図、（ｂ）は黒鍵を中心とする側面図、（ｃ）は黒鍵の上限位置規制凸部を中心とする拡大図、（ｄ）は（ｃ）のｄ−ｄ線に沿って切断した断面図である。
【図２】鍵盤装置の一部を示す平面図である。
【図３】図１の鍵盤装置を、黒鍵の押鍵状態において示す図であり、（ａ）は側面図、（ｂ）は上限位置規制凸部を中心とする拡大図、（ｃ）は（ｂ）のｃ−ｃ線に沿って切断した断面図である。
【図４】黒鍵用鍵ガイドの変形例を説明するための図であり、（ａ）および（ｂ）は図１（ｃ）および（ｄ）にそれぞれ対応する離鍵状態を示し、（ｃ）および（ｄ）は図３（ｂ）および（ｃ）にそれぞれ対応する押鍵状態を示している。
【発明を実施するための形態】
【００１７】
以下、図面を参照しながら、本発明の好ましい実施形態を詳細に説明する。図１（ａ）、（ｂ）および図２は、本発明の一実施形態による電子ピアノの鍵盤装置を示している。これらの図に示すように、この鍵盤装置１は、鍵盤シャーシ２と、この鍵盤シャーシ２に回動自在に取り付けられた白鍵３および黒鍵４から成る複数（例えば８８個）の鍵５と、鍵５ごとに鍵盤シャーシ２に回動自在に取り付けられた複数のハンマー６（図１（ａ）、（ｂ）では１つのみ図示）などを備えている。なお、以下の説明では、白鍵３と黒鍵４を特に区別しない場合には、単に「鍵５」というものとする。
【００１８】
鍵盤シャーシ２は、所定の樹脂材料（例えばＡＢＳ樹脂）を射出成形することなどにより、所定形状に成形された樹脂成形品で構成されている。鍵盤シャーシ２の前部（図１（ａ）、（ｂ）の右部）１１、中間部１２および後部（図１（ａ）、（ｂ）の左部）１３は、互いにリブ（図示せず）によって連結された状態で、一体に構成されている。また、これらの前部１１、中間部１２および後部１３はそれぞれ、左右方向（図１（ａ）、（ｂ）の表裏方向）に延びる前側取付けレール１４、中間取付けレール１５および後側取付けレール１６を介して、電子ピアノの図示しない棚板上に固定されている。なお、以下の説明では、鍵盤シャーシ２の前部１１、中間部１２および後部１３をそれぞれ、「シャーシ前部１１」、「シャーシ中間部１２」および「シャーシ後部１３」というものとする。
【００１９】
シャーシ前部１１には、上下方向に貫通する左右２つの係合孔２１（図１（ａ）、（ｂ）では１つのみ図示）を一組として、白鍵３ごとに設けられた複数組の係合孔２１を有しており、各組の両係合孔２１に、対応する白鍵３の後述する左右の上限位置規制部３ｃが貫通した状態で係合している。また、シャーシ前部１１には、係合孔２１の前側の下縁部に、白鍵３の上限位置を規制するための白鍵用鍵ストッパ２２が取り付けられている。この白鍵用鍵ストッパ２２は、フェルトなどで構成され、シャーシ前部１１の左右方向の全体にわたる１本の帯状のものとして形成されている。離鍵状態において、白鍵３の上限位置規制部３ｃが白鍵用鍵ストッパ２２に下方から当接することで、白鍵３の上限位置が規制される。さらに、シャーシ前部１１には、白鍵３が回動する際に、それを上下方向に案内するとともに横振れを防止するための複数の白鍵用鍵ガイド２３（図１（ａ）、（ｂ）では１つのみ図示）が、白鍵３ごとに立設されている。各白鍵用鍵ガイド２３は、白鍵３の内側の横幅（左右方向の幅）とほぼ同じ幅寸法を有していて、白鍵３の内側に下方から挿入されている。
【００２０】
また、シャーシ前部１１の後部には、図１（ｃ）、（ｄ）に示すように、ストッパ取付け部１１ａが設けられており、このストッパ取付け部１１ａの下面に、黒鍵４の上限位置を規制するための黒鍵用鍵ストッパ２４（鍵ストッパ）が取り付けられている。この黒鍵用鍵ストッパ２４は、前記白鍵用鍵ストッパ２２と同様、フェルトなどで構成されるとともに、シャーシ前部１１の左右方向の全体にわたる１本の帯状に形成されている。離鍵状態において、黒鍵４の後述する上限位置規制凸部４ｃが、黒鍵用鍵ストッパ２４に下方から当接することで、黒鍵４の上限位置が規制される。
【００２１】
また、シャーシ前部１１の黒鍵用鍵ストッパ２４の下方には、黒鍵４の上限位置規制凸部４ｃを上下方向に案内する黒鍵用鍵ガイド２５（鍵ガイド）が設けられている。図１（ｃ）および（ｄ）に示すように、黒鍵用鍵ガイド２５は、黒鍵４の上限位置規制凸部４ｃの両側に、互いに対向しかつ上下方向に延びるように配置された左右２つのガイド部２５ａ、２５ａで構成されている。両ガイド部２５ａ、２５ａは、シャーシ前部１１と一体に構成されており、鍵盤シャーシ２の製造時に一体に成形される。
【００２２】
シャーシ中間部１２は、左右方向に延びる支軸１２ａを有しており、この支軸１２ａにハンマー６が回動自在に支持されている。また、シャーシ中間部１２には、シャーシ前部１１との間に、各鍵５の押鍵情報を検出するための鍵スイッチ２７が取り付けられている。この鍵スイッチ２７は、プリント基板２７ａと、このプリント基板２７ａ上に鍵５ごとに取り付けられたゴムスイッチからなるスイッチ本体２７ｂとで構成されている。そして、この鍵スイッチ２７は、プリント基板２７ａの後端部がシャーシ中間部１２に差し込まれるとともに、プリント基板２７ａの前端部がシャーシ前部１１にねじ止めされた状態で、鍵盤シャーシ２に取り付けられている。
【００２３】
シャーシ後部１３は、鍵５の後端部に設けられた後述する支点軸５ａを支持することにより、この支点軸５ａを中心として、鍵５を回動自在に支持する鍵支持部２８を有している。また、鍵支持部２８の下面後端部には、フェルトなどで構成されたハンマーストッパ２９が取り付けられている。さらに、鍵支持部２８の前端部には、隣り合う鍵５、５の後端部間ごとに、後側鍵ガイド２８ａが立設されており、２つの後側鍵ガイド２８ａ、２８ａによって、それらの間に位置する鍵５の後端部の横振れが防止される。
【００２４】
また、シャーシ後部１３とシャーシ中間部１２との間には、鍵５とハンマー６の間に、ほぼ水平な平板部３１が設けられている。この平板部３１の前端部には、黒鍵４が回動する際に、それを上下方向に案内するとともに横振れを防止するための複数の中間鍵ガイド３２（図１（ａ）、（ｂ）では１つのみ図示）が、黒鍵４ごとに立設されている。この中間鍵ガイド３２は、白鍵３の前記白鍵用鍵ガイド２３と同様、対応する黒鍵４の内側の横幅と同じ幅寸法を有し、黒鍵４の内側に下方から挿入されている。
【００２５】
なお、平板部３１には、ハンマー６ごとに、平板部３１の下面から斜め下前方に突出し、弾性材料で構成されたレットオフ部材３３が取り付けられている。このレットオフ部材３３は、押鍵に伴って回動するハンマー６が、その回動中に一時的に係合することにより、鍵５のタッチ感にレットオフ感を付与するためのものである。
【００２６】
鍵５は、所定の樹脂材料（例えばＡＳなど）を射出成形することなどによって成形されており、前後方向に延びるとともに、断面が下方に開放する逆Ｕ字状に形成され、後端部の左右両側に突設された支点軸５ａを中心として鍵盤シャーシ２に回動自在に支持された鍵本体（白鍵３の鍵本体３ａ、黒鍵４の鍵本体４ａ）を有している。
【００２７】
白鍵３は、図１（ａ）に示すように、鍵本体３ａの前後方向の中央よりも前寄りの所定位置に、下方に所定長さ突出するアクチュエータ部３ｂを有しており、このアクチュエータ部３ｂが、ハンマー６の後述する係合凹部３６ｂに収容された状態で、これに係合している。また、白鍵３は、鍵本体３ａの前端部から下方に所定長さ突出しかつその下端部が前方に屈曲するように形成された左右一対の上限位置規制部３ｃ、３ｃ（図１（ａ）では１つのみ図示）を有しており、両上限位置規制部３ｃ、３ｃが、シャーシ前部１１の対応する前記係合孔２１、２１にそれぞれ貫通した状態で係合している。
【００２８】
一方、黒鍵４は、図１（ｂ）に示すように、鍵本体４ａの前端部から下方に所定長さ突出するアクチュエータ部４ｂを有しており、このアクチュエータ部４ｂが、白鍵３のアクチュエータ部３ｂと同様、ハンマー６の係合凹部３６ｂに係合している。また、黒鍵４は、鍵本体４ａの前端部の下方に、アクチュエータ部４ｂの所定位置から鍵本体４ａの前面よりも前方に突出する上限位置規制凸部４ｃを有している。この上限位置規制凸部４ｃは、黒鍵用鍵ガイド２５の左右のガイド部２５ａ、２５ａ間に位置し、左右方向に不動にかつ上下方向に摺動自在な状態で、黒鍵用鍵ガイド２５に係合している。
【００２９】
図１（ａ）、（ｂ）に示すように、ハンマー６は、ハンマー本体３４と、このハンマー本体３４に着脱自在に取り付けられた錘３５とで構成されている。ハンマー本体３４は、所定の樹脂材料（例えばポリアセタール）を射出成形することなどにより、所定形状に成形された樹脂成形品で構成されている。このハンマー本体３４は、前後方向に延び、その前半部（図１（ａ）、（ｂ）の右半部）３６の所定位置に、側面形状が下方に開放するＵ字状の軸受部３６ａを有しており、この軸受部３６ａが、シャーシ中間部１２の支軸１２ａに回動自在に係合している。また、ハンマー本体３４の前半部３６には、軸受部３６ａの前方に、白鍵３または黒鍵４のアクチュエータ部３ｂまたは４ｂに係合する係合凹部３６ｂが設けられている。この係合凹部３６ｂは、上方および前方に開放しており、白鍵３または黒鍵４のアクチュエータ部３ｂまたは４ｂの下端が係合凹部３６ｂ内の底面に当接した状態で、アクチュエータ部３ｂまたは４ｂの下部を収容している。さらに、ハンマー本体３４の前半部３６には、係合凹部３６ｂの下側に、鍵スイッチ２７のスイッチ本体２７ｂを押圧するためのスイッチ押圧部３６ｃが設けられている。
【００３０】
ハンマー本体３４の後半部である錘取付け部３７は、左方（図１（ａ）、（ｂ）の表側）に開放する開口部３７ａを有しており、この開口部３７ａを介して、錘３５がハンマー本体３４に着脱自在に取り付けられている。また、ハンマー本体３４の錘取付け部３７の所定位置には、上方に突出し、押鍵時に、前記レットオフ部材３３に係合する係合突起３７ｂが設けられている。
【００３１】
一方、錘３５は、ハンマー本体３４よりも比重の大きな材料（例えば鉄などの金属）で構成され、ハンマー本体３４の厚さ（図１（ａ）、（ｂ）の表裏方向の厚さ）よりも薄い金属板をプレス加工することなどによって、所定形状に形成されている。この錘３５は、前後方向に延び、その前半部が、ハンマー本体３４の錘取付け部３７に取り付けられ、後半部が、シャーシ後部１３の後端付近まで後方に延びている。
【００３２】
以上のように構成された鍵盤装置１では、図１（ａ）、（ｂ）に示す離鍵状態において、鍵５を押鍵すると、例えば黒鍵４を押鍵した図３（ａ）に示すように、押鍵された鍵５が後端部の支点軸５ａを中心として時計方向に回動する。これに伴い、鍵５のアクチュエータ部３ｂまたは４ｂが、ハンマー６の係合凹部３６ｂを下方に押圧する。それにより、ハンマー６は、シャーシ中間部１２の支軸１２ａを中心として時計方向に回動しながら、スイッチ押圧部３６ｃで鍵スイッチ２７のスイッチ本体２７ｂを上方から押圧する。またこの場合、ハンマー６は、その後端部（錘３５の後端部）がシャーシ後部１３のハンマーストッパ２９に下方から当接することによって、それ以上の回動が阻止される。以上の押鍵動作により、ハンマー６の重量およびトルクに応じた所定のタッチ重さが、鍵５に付与されるとともに、鍵５の押鍵情報が鍵スイッチ２７を介して検出される。
【００３３】
一方、押鍵した鍵５を離鍵すると、ハンマー６が上記と逆方向に回動し、それに伴い、鍵５が、アクチュエータ部３ｂまたは４ｂを介して押し上げられることにより、上記と逆方向に回動する。そして、白鍵３の場合には、上限位置規制部３ｃが白鍵用鍵ストッパ２２に下方から当接する一方、黒鍵４の場合には、上限位置規制凸部４ｃが、黒鍵用鍵ガイド２５で案内されながら、黒鍵用鍵ストッパ２４に下方から当接する。これにより、鍵５のそれ以上の回動が阻止され、図１（ａ）および（ｂ）に示すように、鍵５およびハンマー６が元の離鍵状態に復帰する。
【００３４】
以上詳述したように、本実施形態の鍵盤装置１によれば、黒鍵４が押鍵および離鍵される場合、鍵本体４ａの前面よりも前方に突出する上限位置規制凸部４ｃが、黒鍵用鍵ガイド２５によって、左右方向に不動な状態で上下方向に案内される。これにより、上限位置規制凸部４ｃの横振れが防止されることによって、鍵本体４ａの前端付近の横振れを確実に防止でき、それにより、従来の鍵盤装置と異なり、黒鍵４の安定した回動を確保することができる。また、黒鍵用鍵ガイド２５は、鍵盤シャーシ２の成形時に一体に成形されるので、黒鍵用鍵ガイドが鍵盤シャーシと別体に構成され、鍵盤シャーシの製造後に後付けされる場合に比べて、黒鍵用鍵ガイド２５を有する鍵盤シャーシ２を効率良く製造することができる。
【００３５】
なお、本発明は、説明した上記実施形態に限定されることなく、種々の態様で実施することができる。図４は、黒鍵用鍵ガイド２５の変形例を示しており、（ａ）および（ｂ）は離鍵状態、（ｃ）および（ｄ）は押鍵状態を示している。同図（ｂ）および（ｄ）に示すように、この黒鍵用鍵ガイド２５では、左右２つのガイド部２５ａ、２５ａの対向面間の距離Ｗが、下方に向かって次第に大きくなるように形成されている（Ｗ１＜Ｗ２）。例えば、黒鍵４が中間鍵ガイド３２および黒鍵用鍵ガイド２５によって案内される場合、その黒鍵４自体に変形やねじれが生じていると、押鍵時や離鍵時に両鍵ガイド３２および２５との摺接部分における摩擦が大きくなりやすく、黒鍵４の円滑な回動が損なわれるおそれがある。したがって、黒鍵用鍵ガイド２５を、上述したように形成することにより、黒鍵４に変形やねじれが生じていても、黒鍵用鍵ガイド２５による摩擦を低減でき、それにより、黒鍵４の円滑な回動を確保することができる。なお、同図（ｂ）に示すように、離鍵状態では、黒鍵４の上限位置規制凸部４ｃが、左右の両ガイド部２５ａ、２５ａによって、左右方向に不動な状態にしっかりと保持されているので、押鍵の開始時に、黒鍵４は、がたつくことなく、下方に円滑に回動し始める。
【００３６】
また、実施形態では、本発明の上限位置規制凸部および鍵ガイドをそれぞれ、黒鍵４の上限位置規制凸部４ｃおよび黒鍵用鍵ガイド２５に適用したが、本発明の上限位置規制凸部および鍵ガイドを、白鍵３側に適用することも可能である。また、実施形態では、単一の上限位置規制凸部４ｃの左右両側に、黒鍵用鍵ガイド２５の２つのガイド部２５ａ、２５ａを配置したが、これらの構成は、上限位置規制凸部４ｃが左右方向に不動な状態で上下方向に案内される構成であればよく、種々の構成を採用することが可能である。例えば、上限位置規制凸部４ｃに、黒鍵用鍵ガイド２５側に開放する凹部を形成し、その凹部に係合するように、単一のガイド部２５ａを上下方向に延びるように配置してもよい。さらに、実施形態では、鍵盤シャーシ２に、従来の黒鍵用の鍵ガイドと同様の中間鍵ガイド３２を設けたが、この中間鍵ガイド３２を省略してもよい。
【００３７】
また、実施形態で示した鍵盤シャーシ２、白鍵３、黒鍵４およびハンマー６の細部の構成などは、あくまで例示であり、本発明の趣旨の範囲内で適宜、変更することができる。
【符号の説明】
【００３８】
１  鍵盤装置
２  鍵盤シャーシ
３  白鍵
４  黒鍵
４ａ  鍵本体
４ｂ  アクチュエータ部
４ｃ  上限位置規制凸部
５  鍵
６  ハンマー
２４  黒鍵用鍵ストッパ（鍵ストッパ）
２５  黒鍵用鍵ガイド（鍵ガイド）
２５ａ  ガイド部
【図１】
0005662851.tif 000002
【図２】
0005662851.tif 000003
【図３】
0005662851.tif 000004
【図４】
0005662851.tif 000005